(57)【要約】【課題】店頭で煩わしい作業を行なうことなく、展示状態での訴求性を維持できるようにする。【解決手段】周壁１及び底壁２を備えた箱体を形成し、箱体内に並べて収納した商品を支える支持板９を設け、商品展示時には、箱体を開口させて商品を露出させる包装展示兼用箱において、前記支持板９を、箱体に繋がった基端部をヒンジとして揺動するものとし、支持板９の側縁に、弧状に湾曲した折目線１０ａを基端部に有する突支板１０を連設し、支持板９及び突支板１０を折り曲げて、折目線１０ａでの反発により、突支板１０の先端が箱体の内面に当接し、商品の減少に伴い、支持板９が次第に迫り出すように押されて、商品を見やすい状態に押すようにする。【選択図】図５
2011184093.tif 000002
【特許請求の範囲】
【請求項１】
周壁(1)及び底壁(2)を備えた箱体を形成し、箱体内に並べて収納した商品を支える支持板(9)を設け、商品展示時には、箱体を開口させて商品を露出させる包装展示兼用箱において、前記支持板(9)を、箱体に繋がった基端部をヒンジとして揺動するものとし、支持板(9)の側縁に、弧状に湾曲した折目線(10a)を基端部に有する突支板(10)を連設し、支持板(9)及び突支板(10)を折り曲げて、折目線(10a)での反発により、突支板(10)の先端が箱体の内面に当接し、商品の減少に伴い、支持板(9)が次第に迫り出すように押されて、商品を見やすい状態に押すようにしたことを特徴とする包装展示兼用箱。
【請求項２】
前記支持板(9)の基端部に設けた折目線(9a)も湾曲させ、支持板(9)を迫り出させて商品を押す反発力が、この折目線(9a)でも生じるようにしたことを特徴とする請求項１に記載の包装展示兼用箱。
【請求項３】
前記支持板(9)の基端部にさらに折目線(9b)を設け、この折目線(9b)を前記折目線(9a)と両端で交わり中間部で離反するように湾曲させ、その間の部分を面取り部(9c)とし、支持板(9)を迫り出させて商品を押す反発力が、この折目線(9b)でも生じるようにしたことを特徴とする請求項２に記載の包装展示兼用箱。
【発明の詳細な説明】
【技術分野】
【０００１】
この発明は、商品の包装及び展示に兼用される紙箱に関するものである。
【背景技術】
【０００２】
従来、下記特許文献１に記載された包装展示兼用箱は、上部を開口させた状態で図７に示すように、周壁５１を形成するため、前面板５３、一対の側面板５４及び後面板５５を継代片５６を介して連設し、これらの下端からそれぞれ前底板５７、側底板５８及び後底板５９を延出し、一対の側底板５８をそれぞれ前底板５３及び後底板５９を挟み互い違いに重ねて底壁５２を形成したものとされている。
【０００３】
また、後底板５９には、前方へ向けて延びる支持板６０が連設され、支持板６０には、基端に折目線６０ａが、中間部に折目線６０ｂがそれぞれ入れられている。一方の側底板５８には保持片５８ａ，５８ｂが、他方の側底板５８には保持片５８ｃ，５８ｄがそれぞれ切込を入れて形成されている。
【０００４】
このような箱で商品Ｔを包装する際には、商品Ｔを前後に並べて収納し、商品Ｔを展示する際には、前面板５３及び側面板５４を切断することにより、図示のように箱の上部を開口させ、商品Ｔを露出させる。
【０００５】
そして、商品Ｔが抜き取られて、箱内の商品Ｔの残存数が減少した場合、折目線６０ａで折り曲げて立ち上がらせた支持板６０を、保持片５８ａ，５８ｂにより挟んで起立状態に保持し、商品Ｔを支持板６０に凭れさせて、商品Ｔの前倒れを防止する。
【０００６】
その後、さらに商品Ｔが減少した場合、図８に示すように、支持板６０を折目線６０ｂで折り曲げて、図７の状態よりも前方で立ち上がらせ、保持片５８ｃ，５８ｄにより挟んで起立状態に保持し、商品Ｔを支持板６０に凭れさせて、商品Ｔの前倒れを防止する。
【先行技術文献】
【特許文献】
【０００７】
【特許文献１】特開２００８−２３９１９３号公報
【発明の概要】
【発明が解決しようとする課題】
【０００８】
しかしながら、上記のような包装展示兼用箱では、商品が前側のものから取り出されると、手作業で残存した商品を前側に寄せて、これらの商品を支持板に凭れさせなければならず、商品の残存数を監視して、支持板を起立状態に保持する作業を行なう必要があり、手間がかかるという問題がある。
【０００９】
そこで、この発明は、店頭で煩わしい作業を行なうことなく、展示状態での訴求性を維持できるようにすることを課題とする。
【課題を解決するための手段】
【００１０】
上記課題を解決するため、この発明は、周壁及び底壁を備えた箱体を形成し、箱体内に並べて収納した商品を支える支持板を設け、商品展示時には、箱体を開口させて商品を露出させる包装展示兼用箱において、前記支持板を、箱体に繋がった基端部をヒンジとして揺動するものとし、支持板の側縁に、弧状に湾曲した折目線を基端部に有する突支板を連設し、支持板及び突支板を折り曲げて、折目線での反発により、突支板の先端が箱体の内面に当接し、商品の減少に伴い、支持板が次第に迫り出すように押されて、商品を見やすい状態に押すようにしたのである。
【００１１】
また、前記支持板の基端部に設けた折目線も湾曲させ、支持板を迫り出させて商品を前方へ押す反発力が、この折目線でも生じるようにしたのである。
【００１２】
また、前記支持板の基端部にさらに折目線を設け、この折目線を前記折目線と両端で交わり中間部で離反するように湾曲させ、その間の部分を面取り部とし、支持板を迫り出させて商品を押す反発力が、この折目線でも生じるようにしたのである。
【発明の効果】
【００１３】
この包装展示兼用箱では、展示された商品の残存数が少なくなると、突支板及び支持板により商品が見やすい状態となるように押されるので、店頭で煩わしい作業を行なうことなく、商品のフェイス面を正面に向けることができ、訴求性を維持することができる。
【図面の簡単な説明】
【００１４】
【図１】この発明の実施形態に係る包装展示兼用箱のブランクを示す図
【図２】同上の組立過程を示す斜視図
【図３】同上の包装状態を示す斜視図
【図４】同上の縦断側面図
【図５】同上の展示状態を示す斜視図
【図６】同上の縦断側面図
【図７】（ａ）従来の包装展示兼用箱の支持板起立状態を示す斜視図、（ｂ）同上の商品が支持板に凭れた状態を示す概略縦断側面図
【図８】（ａ）同上の他の状態を示す斜視図、（ｂ）同上の商品が支持板に凭れた状態を示す概略縦断側面図
【発明を実施するための形態】
【００１５】
以下、この発明の実施形態を添付図面に基づいて説明する。
【００１６】
図１に示すように、この包装展示兼用箱の板紙製ブランクでは、周壁１となる部分の下方に底壁２となる部分を備え、周壁１の部分として、前面板３に側面板４、後面板５、側面板４及び継代片６が順次連設され、底壁２の部分として、前面板３及び後面板５の下端から底板７が、側面板４の下端から側底板８がそれぞれ延出されている。
【００１７】
一対の側底板８には、組立時に底壁２の一方の対角となる角を二等分するように、斜め方向の折目線８ａが設けられている。
【００１８】
後面板５の上端には、支持板９が連設され、支持板９の一側縁には、突支板１０が連設されている。
【００１９】
突支板１０の基端となる折目線１０ａは、中間部が支持板９の内側に凹入するように、湾曲している。支持板９の基端部には、２本の折目線９ａ，９ｂが設けられ、これらは両端で交わり中間部で離反するように湾曲し、その間の部分が面取り部９ｃとされている。
【００２０】
前面板３の上端には、蓋板１１及び差込片１２が順次連設され、側面板４の上端には、蓋受片１３が連設されている。差込片１２の基端となる折目線１２ａも、面取り部９ｃの形状に対応して、中間部が蓋板１１の内側に凹入するように湾曲している。
【００２１】
前面板３及び継代片６には、それぞれ上端から下方へ切目線１４が設けられ、前面板３には、切目線１４の下端間に亘って切目線１５が設けられている。側面板４には、切目線１４の位置から反対側の上角へかけて斜め方向に切目線１６が設けられている。
【００２２】
上記のようなブランクからこの箱を製造する際には、通常のいわゆるワンタッチ底の箱と同様、ブランクを周壁１の部分で折り重ね、継代片６を前面板３の内面に貼り付けると共に、側底板８を折目線８ａに沿って二つ折りし、その折目線８ａより先端側の部分を底板７の外面貼り付けて、扁平な折畳状態とする。このような折畳状態で菓子メーカー等の使用者へ納品すると、嵩張ることがない。
【００２３】
そして、使用者が箱を組み立てる際には、図２に示すように、前面板３、一対の側面板４及び後面板５を平行四辺形をなすように広げて、周壁１を角筒状とし、これに伴い、側底板８を折り曲げた状態から伸長して、一対の側底板８を、底板７を挟み互い違いに重ねて、底壁２を形成することにより、直方体の箱体を形成する。また、支持板９を折目線９ａ，９ｂに沿って前下方へ、突支板１０を折目線１０ａに沿って後方へ折り曲げる。
【００２４】
次に、図３及び図４に示すように、商品Ｓの包装に際しては、支持板９及び突支板１０を、折目線９ａ，９ｂ，１０ａでの反発に抗して、後面板５の前面に重なるように後方へ押しつつ、箱内に袋入の菓子等の商品Ｓを前後に並べて収納する。
【００２５】
そして、この状態で、蓋受片１３を内側水平方向へ折り曲げ、蓋板１１を閉じ、差込片１２を蓋受片１３と後面板５の間に差し込んで封緘すると、面取り部９ｃが傾斜して、封止部のデザインが特徴あるものとなる。
【００２６】
一方、店頭で商品Ｓを展示する際には、まず、差込片１２を蓋受片１３と後面板５の間から引き抜いて、蓋板１１を開く。このとき、面取り部９ｃの存在により、差込片１２に容易に指を掛けて、蓋板１１の先端部を引き上げることができる。
【００２７】
その後、切目線１４，１５を切断し、また切目線１６を切断して、切目線１５，１６の上方部分を除去すると、図５及び図６に示すように、箱の前上部が開口し、その開口から商品Ｓが露出した展示状態となる。
【００２８】
上記のような包装展示兼用箱では、展示状態で商品Ｓが前側のものから取り出され、商品Ｓの残存数が少なくなると、折目線１０ａでの反発により、突支板１０の先端が後面板５の内面に当接して、突支板１０が支持板９を前方へ迫り出すように押し、折目線９ａ，９ｂでも反発力が生じて、支持板９が次第に大きく前方へ迫り出し、商品Ｓの下部が前方に押し出され、商品Ｓが後傾して支持板９に凭れた状態となる。
【００２９】
これにより、店頭で煩わしい作業を行なうことなく、商品Ｓの前倒れを確実に防止し、商品Ｓのフェイス面を前方へ向けて、訴求性を維持することができる。
【００３０】
なお、上記実施形態では、支持板９の基端部に２本の折目線９ａ，９ｂを設け、その間の部分に面取り部９ｃを形成したものを例示しているが、湾曲した１本の折目線９ａのみを設けるようにしてもよく、湾曲した折目線に代えて、一本の直線の折目線のみを設けるようにしてもよい。
【００３１】
また、周壁１に蓋板１１が連設されたものを例示したが、蓋が別体となった箱や、商品包装時にラップ掛け等により商品を包み込む蓋のないトレー状の箱においても、同様の構成を適用することができる。
【００３２】
そのほか、上記実施形態では、支持板９の一側縁にのみ突支板１０を連設したものを例示したが、支持板９の両側縁に突支板１０を連設し、突支板１０同士が折曲状態で干渉しないように、両側の突支板１０の位置をずらしてもよい。
【００３３】
また、前後に並べて収納した商品を、前方へ押し出すものを例示したが、支持板９を底壁２側の折目線をヒンジとして揺動するものとし、突支板１０の先端が底壁２に当接して支持板９を押し上げることにより、支持板９の上方に積み重ねた商品を押し上げるようにする等、支持板９及び突支板１０を設ける位置を用途に応じて変更してもよい。
【符号の説明】
【００３４】
１  周壁
２  底壁
３  前面板
４  側面板
５  後面板
６  継代片
７  底板
８  側底板
８ａ  折目線
９  支持板
９ａ，９ｂ  折目線
９ｃ  面取り部
１０  突支板
１０ａ  折目線
１１  蓋板
１２  差込片
１２ａ  折目線
１３  蓋受片
１４，１５，１６  切目線
【図１】
2011184093.tif 000003
【図２】
2011184093.tif 000004
【図３】
2011184093.tif 000005
【図４】
2011184093.tif 000006
【図５】
2011184093.tif 000007
【図６】
2011184093.tif 000008
【図７】
2011184093.tif 000009
【図８】
2011184093.tif 000010